(57)【特許請求の範囲】
【請求項１】
下端を開放した有底の収容孔を有する外装ケースと、
前記収容孔に気密摺動自在なピストン部を有する脚部材と、
前記外装ケースとピストン部とで形成されるエア作動室を大気開放するために外装ケースの上壁部に形成したオリフィスと、
前記外装ケースの上壁部の下側にオリフィスを閉鎖するように設けた弁体と、
前記脚部材を下方へ常時付勢するとともに弁体を上壁部に常時圧接させる脚用弾性部材と、
前記脚部材の進退移動を規制可能なロック手段であって、脚部材の外周面にその長さ方向に一定間隔おきに形成した複数の規制凹凸部と、外装ケースにスライド操作可能に設けられ、規制凹凸部に係合可能な係止凹凸部を有する操作部材と、操作部材をその係止凹凸部が規制凹凸部に凹凸係合する方向へ常時付勢するロック用弾性部材とを有するロック手段と、
を備え、外装ケースの上壁部と弁体との接触面における面性状に応じて接触面間に形成される微細な隙間を通じてオリフィスとエア作動室とを連通した、
ことを特徴とする高さ調整機能付きフット。
【請求項２】
前記弁体に脚用弾性部材を位置決めするための位置決めピンを一体的に形成した請求項１記載の高さ調整機能付きフット。
【発明の詳細な説明】
【０００１】
【発明の属する技術分野】
本発明は、家具や家電機器などの高さや角度を調整するのに好適な高さ調整機能付きフットに関する。
【０００２】
【従来の技術】
家具や家電機器などにおいては高さや角度を調整するために、高さ調整機能を有するフットを設けたものが広く実用化されている。例えば、テレビ映像やビデオ映像などを投影するプロジェクターにおいては、前側に設ける１対のフットとして、高さ調整機能を有するものを使用し、投影角度を調整できるように構成されている。
前記高さ調整機能を有するフットとしては、プロジェクターの機枠に螺軸を螺合させ、螺軸の下端に固定した座板を回転操作して、機枠に対する螺軸の螺進量を調整することで、プロジェクターの傾斜角度を調整できるように構成したものが使用されている。
【０００３】
また、高さ調整機能を有する簡易な構成として、例えば実公昭３２−４１８１号公報には、下端にゴム脚を固定した昇降杆と、この昇降杆を上方へ常時付勢する杆スプリングと、昇降杆が挿通する貫通孔を有する操作レバーであって、貫通孔の口縁が昇降杆の外面に係合して、昇降杆の昇降を規制する規制位置と、貫通孔の口縁と昇降杆の外面との係合が解除されて、昇降杆の昇降が許容される解除位置とに傾動操作可能な操作レバーと、操作レバーを規制位置側へ常時付勢するレバースプリングとを備えたドア停止金具が記載されている。
このドア停止金具においては、昇降杆を杆スプリングのバネ力に抗して下方へ踏み込み操作し、昇降杆を下降させてゴム脚を床面に圧接させて、ドアを停止させ、操作レバーを解除位置側へ操作することで、杆スプリングのバネ力により、昇降杆を上昇させて、ドアの停止を解除できるように構成されている。
【０００４】
【発明が解決しようとする課題】
前記フットでは、螺軸の螺進量に応じて高さが調整されるので、調整量が多い場合には、螺軸を何回も回転操作する必要があり、調整作業が煩雑になるという問題がある。
また、前記ドア停止金具のような構成をフットに適用して、操作レバーの操作により、所望の高さ位置まで一気に昇降杆を昇降させて、プロジェクターの傾斜角度を調整できるように構成することも可能である。しかし、この場合においても、操作レバーを解除位置へ操作したときに、プロジェクターの前部が杆スプリングのバネ力で支持されるので、バネ力が強すぎると操作レバーを解除操作したときにプロジェクターの前部が跳ね上がり、バネ力が弱すぎるとプロジェクターの前部が落ち込むという問題がある。しかも、杆スプリングは、そのバネ力がプロジェクター前部の自重とバランスするまで伸長或いは収縮しようとするので、適度な杆スプリングを用いた場合でも、跳ね上がりや落ち込みの問題を完全に解消することはできない。また、杆スプリングにより昇降杆が高速で移動するので、微妙な高さ調整が困難になることも考えられる。更に、プロジェクターとその設置面間の隙間は比較的小さいので、操作レバーの操作性が低下するという問題もある。
【０００５】
本発明の目的は、家具や家電機器などの高さや角度調整が容易に行え、しかも高さ調整時における家具や家電機器などの不用意な挙動を効果的に抑制し、微妙な高さや角度調整が可能な調整機能付きフットを提供することである。
【０００６】
【課題を解決するための手段および作用】
請求項１に係る調整機能付きフットは、下端を開放した有底の収容孔を有する外装ケースと、前記収容孔に気密摺動自在なピストン部を有する脚部材と、前記外装ケースとピストン部とで形成されるエア作動室を大気開放するために外装ケースの上壁部に形成したオリフィスと、前記外装ケースの上壁部の下側にオリフィスを閉鎖するように設けた弁体と、前記脚部材を下方へ常時付勢するとともに弁体を上壁部に常時圧接させる脚用弾性部材と、前記脚部材の進退移動を規制可能なロック手段であって、脚部材の外周面にその長さ方向に一定間隔おきに形成した複数の規制凹凸部と、外装ケースにスライド操作可能に設けられ、規制凹凸部に係合可能な係止凹凸部を有する操作部材と、操作部材をその係止凹凸部が規制凹凸部に凹凸係合する方向へ常時付勢するロック用弾性部材とを有するロック手段とを備え、外装ケースの上壁部と弁体との接触面における面性状に応じて接触面間に形成される微細な隙間を通じてオリフィスとエア作動室とを連通したものである。
【０００７】
この高さ調整機能付きフットにおいては、ロック用弾性部材の付勢力に抗して操作部材を押し操作することで、係止凹凸部と規制凹凸部との係合が解除され、脚部材が移動し得る状態になるが、このとき脚部材が脚用弾性部材の付勢力により下降すると、エア作動室内に対してオリフィスを介して徐々に外気が流入し、脚部材が脚用弾性部材の付勢力に抗して上昇すると、エア作動室内のエアがオリフィスを介して徐々に外部に排出されるので、脚部材はオリフィスの通気抵抗に応じて低速度で昇降することになる。このように、エア作動室とオリフィスとが脚部材の昇降移動のダンパとして機能するので、このフットを組付けた家具や家電機器においては、高さ調整時における、急激な跳ね上がりや落ち込みなどの不用意な挙動が防止され、スムーズに角度や高さを調整できるとともに、微妙な角度や高さ調整が可能となる。しかも、操作部材を水平方向に押し操作することで、係止凹凸部と規制凹凸部との係合を解除できるので、プロジェクターなどのように、操作部材の配設スペースが上下方向にスペースが狭い場合でも、操作部材の操作性を十分に確保することが可能となる。
【０００８】
また、外装ケースの上壁部にオリフィスを形成し、上壁部の下側にオリフィスを閉鎖するように弁体を設け、脚用弾性部材により弁体を上壁部に圧接しているので、オリフィスの孔径にあまり依存することなく、脚部材の移動速度を適正な速度に設定できる。特に、弁体の上面にエア作動室とオリフィスとを連通する絞り溝を形成すると、上壁部と弁体との接触面の面性状による通気抵抗の変動を防止して、通気抵抗を安定にできるので好ましい。
更に、請求項２記載のように、前記弁体に脚用弾性部材を位置決めするための位置決めピンを一体的に形成すると、脚用弾性部材の組付性を向上しつつ、部品点数を減らせるので好ましい。
【０００９】
【発明の実施の形態】
以下、本発明の実施例について図面を参照しながら説明する。
図１に示すように、高さ調整機能付きフット（以下、単にフットと称する）１０は、プロジェクター１の機枠２の前部に左右１対組付けられ、左右のフット１０の操作部材１１を解除位置（図７に図示）へ操作しながら脚部材１２の突出量を調整することで、図１、図２に示すように、プロジェクター１の傾斜角度を調整できるように構成されている。
【００１０】
フット１０について説明すると、図３〜図７に示すように、上下１組の外装ケース１３、１４がフック部１５及び係止ブラケット１６を介して着脱可能に組付けられ、外装ケース１３、１４には脚部材１２が内装され、脚部材１２の下端は下部外装ケース１４の下壁部を貫通して下方へ突出されている。
上部外装ケース１３には下端を開放した有底の収容孔１７を有する筒部１８が一体的に形成され、脚部材１２の上端部にはピストン部１９が一体的に形成され、ピストン部１９はそれに外装したシールリング２０を介して収容孔１７に気密摺動自在に装着され、ピストン部１９と上部外装ケース１３間にはエア作動室２１が形成されている。
【００１１】
上部外装ケース１３の上壁部の略中央部にはオリフィス２２が形成され、上壁部と脚部材１２の上端部間にはオリフィス２２を閉鎖するように弁体２３が設けられ、弁体２３の上面には４本の絞り溝２４が放射状に形成され、エア作動室２１は絞り溝２４及びオリフィス２２を介して大気開放されている。尚、絞り溝２４の断面形状やサイズや本数は、エア作動室２１に対する外気の流通抵抗を考慮して適宜設定するものとする。
脚部材１２は上端を開放した有底筒状に形成され、脚部材１２内には圧縮コイルバネからなる脚用弾性部材２５が内装され、脚部材１２は脚用弾性部材２５を介して常時下方へ、また弁体２３は脚用弾性部材２５を介して上方へ常時付勢されている。弁体２３には位置決めピン２３ａが一体的に形成され、脚用弾性部材２５はこの位置決めピン２３ａにより位置決めされている。
【００１２】
上下の外装ケース１３、１４間には係止板２６が設けられ、係止板２６には脚部材１２の途中部が挿通する挿通孔２７が形成され、この挿通孔２７はピストン部１９よりも小径に構成され、ピストン部１９の下端が挿通孔２７の口縁で係止されることで、脚部材１２の下限位置が規制されるように構成されている。
【００１３】
下部外装ケース１４には脚部材１２の上下移動を規制可能なロック手段３０が組み込まれている。
ロック手段３０について説明すると、下部外装ケース１４には操作部材１１が、図４、図５に図示のロック位置と、図７に図示の解除位置とに亙って左右方向に移動自在に組付けられ、操作部材１１は凹凸嵌合部３１を介して結合された本体部材３２と係止部材３３とで構成されている。
本体部材３２の右端部は下部外装ケース１４外へ突出され、操作部材１１には本体部材３２と係止部材３３とを組み合わせた状態で、脚部材１２が挿通する挿通孔３４が形成されている。挿通孔３４は左右方向に延びる長孔状に形成され、操作部材１１は、挿通孔３４に脚部材１２を挿通させた状態で、ロック位置と解除位置とに亙って左右方向に移動自在に組付けられている。
【００１４】
脚部材１２の周面の左半部には周方向に延びる山形断面の突条からなる規制凹凸部３５が長さ方向に一定間隔おきに形成され、係止部材３３の挿通孔３４側の内周面にはロック位置において規制凹凸部３５に凹凸係合する係止凹凸部３６が形成されている。操作部材１１は、下部外装ケース１４との間に介装した圧縮コイルバネからなるロック用弾性部材３７により、係止凹凸部３６が規制凹凸部３５に凹凸係合するロック位置側へ常時付勢されている。但し、規制凹凸部３５は、脚部材１２の全周に亙って設けてもよい。また、規制凹凸部３５の個数は任意に設定可能で、例えば凹部や凸部を間欠的に形成してもよい。
このロック手段３０においては、操作部材１１を押し操作することで、係止凹凸部３６が規制凹凸部３５から離間して、脚部材１２が上下移動自在な状態になり、操作部材１１の押し操作を止めると、ロック用弾性部材３７の付勢力により、係止凹凸部３６が規制凹凸部３５に凹凸係合して、脚部材１２の上下方向への移動が規制されることになる。
【００１５】
フット１０を組み立てるときには、下部外装ケース１４内にロック用弾性部材３７を操作部材１１とともに組付け、その後係止板２６を次落とし込んでから、シールリング２０を外装させた脚部材１２をこれらの部材に挿通させ、更に脚部材１２に対して脚用弾性部材２５及び弁体２３を順次組付け、最後に上部外装ケース１３を下部外装ケース１４に組付ける、といった簡単な作業でフット１０を容易に組み立てることが可能となる。
尚、符号３８は、フット１０をプロジェクター１の機枠２に固定するためのビスである。また、図８に示すように、脚部材１２の下端部に滑り止め用のゴム座３９を嵌合やビス止めにより取付けてもよい。
【００１６】
前記フット１０の作用及び効果について説明する。
このフット１０においては、エア作動室２１が絞り溝２４及びオリフィス２２を介して大気開放されているので、操作部材１１を解除位置側へ操作すると、脚部材１２はゆっくりと上下移動することになる。
プロジェクター１の傾斜角度を大きくする場合には、プロジェクター１の前部を手で少し持ち上げながら、操作部材１１を解除位置側へ押し操作し、脚用弾性部材２５の付勢力で脚部材１２を下方へ突出させることになるが、このとき脚部材１２はゆっくと下方へ突出することになる。また、プロジェクター１の傾斜角度を小さくする場合には、そのまま操作部材１１を解除位置側へ押し操作し、プロジェクター１前部の自重により脚用弾性部材２５の付勢力に抗して、脚部材１２を上方へ収納することになるが、このときにおいても脚部材１２はゆっくと上方へ収納されることになる。このように脚部材１２が低速で移動するので、プロジェクター１を所望の角度に効率的に角度調整することが可能となる。
【００１７】
但し、脚用弾性部材２５の付勢力をプロジェクター１の前部の自重よりも多少大きく設定して、操作部材１１を解除位置に押し操作することで、自動的にプロジェクター１の前部が上昇し、操作部材１１を解除位置に押し操作しながらプロジェクター１の前部を多少下方へ押さえ付けることで、プロジェクター１の前部を下降させるように構成してもよい。
【００１８】
尚、本実施例ではプロジェクター１の角度を調整するために設けたフット１０に本発明を適用したが、プロジェクター以外の家電機器や家具などの高さや角度を調整するためのフットに対しても本発明を同様に適用できる。
【００１９】
【発明の効果】
請求項１に係る調整機能付きフットによれば、螺軸を用いた場合のように何回も回転操作したりすることなく、脚部材の突出量を調整できるので、このフットを組付けた家具や家電機器の昇降操作性を格段に向上できる。
また、脚部材を外装ケースの収容孔に気密摺動自在に装着し、脚部材と外装ケースとで形成されるエア作動室をオリフィスを介して大気開放することで、フットに対してダンパ機能を付与しているので、高さ調整時における脚部材の移動速度が緩やかになり、フットを組付けた家具や家電機器の急速な跳ね上がりや落ち込みを防止して、家具や家電機器の不用意な挙動を防止できるとともに、微妙な角度調整も可能となる。
更に、操作部材を水平方向に押し操作することで、係止凹凸部と規制凹凸部との係合を解除できるので、プロジェクターなどのように、操作部材の配設スペースが上下方向にスペースが狭い場合でも、操作部材の操作性を十分に確保することが可能となる。
【００２０】
また、オリフィスを閉鎖するように弁体を設けると、オリフィスの孔径に大きく依存することなく、脚部材の移動速度を適正な速度に設定できるので、外装ケースの製作コストを低減できる。特に、弁体の上面に絞り溝を形成すると、上壁部と弁体との接触面の面性状による通気抵抗の変動を防止して、通気抵抗を安定化できるので好ましい。
更に、請求項２記載のように、前記弁体に位置決めピンを一体的に形成すると、脚用弾性部材の組付性を向上しつつ、フットの構成部品点数を低減できる。
【図面の簡単な説明】
【図１】  プロジェクターの側面図
【図２】  傾斜角度を大きくした状態におけるプロジェクターの側面図
【図３】  フットの分解斜視図
【図４】  ロック状態におけるフットの縦断面図
【図５】  図４のV-V 線断面図
【図６】  脚部材の側面図
【図７】  解除状態におけるフットの図５相当図
【図８】  ゴム座を取付けたフットの縦断面図
【符号の説明】
１      プロジェクター    ２      機枠
１０    フット            １１    操作部材
１２    脚部材            １３    上部外装ケース
１４    下部外装ケース    １５    フック部
１６    係止ブラケット    １７    収容孔
１８    筒部              １９    ピストン部
２０    シールリング      ２１    エア作動室
２２    オリフィス        ２３    弁体
２３ａ  位置決めピン
２４    絞り溝            ２５    脚用弾性部材
２６    係止板            ２７    挿通孔
３０    ロック手段        ３１    凹凸嵌合部
３２    本体部材          ３３    係止部材
３４    挿通孔            ３５    規制凹凸部
３６    係止凹凸部        ３７    ロック用弾性部材
３８    ビス              ３９    ゴム座
【図１】
0003651466.tif 000002
【図２】
0003651466.tif 000003
【図３】
0003651466.tif 000004
【図４】
0003651466.tif 000005
【図５】
0003651466.tif 000006
【図６】
0003651466.tif 000007
【図７】
0003651466.tif 000008
【図８】
0003651466.tif 000009